(57)【要約】  本発明は、半導体素子への接続のための少なくとも１つの機能表面（１０）を備えている少なくとも１つの半導体素子のための支持体および／またはクリップに関する。本発明は、少なくとも１つの側壁（１３）、特に直線状の側壁（１３）と、前記側壁（１３）に隣接しており、前記機能表面（１０）を少なくとも一方側において境界付けている境界縁（１４）とを備える少なくとも１つのはんだレジスト空洞（１２）をさらに特徴とする。前記境界縁（１４）は、はんだを保持するために前記機能表面（１０）を過ぎて突出する突出部（１５）を形成しており、および／または、前記側壁（１３）は、前記境界縁（１４）にはんだを保持するためのアンダーカット（１６）を形成している。
2017510991.tif 000002
【特許請求の範囲】
【請求項１】
半導体素子への接続のための少なくとも１つの機能表面（１０）を備えている少なくとも１つの半導体素子のための支持体および／またはクリップであって、
少なくとも１つのはんだレジスト空洞（１２）が、少なくとも１つの側壁（１３）、特に直線状の側壁（１３）と、前記側壁（１３）に隣接しており、前記機能表面（１０）を少なくとも一方側において境界付けている境界縁（１４）とを備えており、
前記境界縁（１４）は、はんだを引き止めるために前記機能表面（１０）を過ぎて突出する突出部（１５）を形成しており、かつ／または
前記側壁（１３）は、前記境界縁（１４）にはんだを引き止めるためのアンダーカット（１６）を形成している、
ことを特徴とする支持体および／またはクリップ。
【請求項２】
前記はんだレジスト空洞（１２）の深さは、前記支持体の厚さまたは前記クリップの厚さの１０％〜８０％、特に３０％〜５０％であることを特徴とする請求項１に記載の支持体および／またはクリップ。
【請求項３】
前記はんだレジスト空洞（１２）の幅は、０．０５ｍｍ〜２ｍｍ、特に０．３ｍｍ〜１．２ｍｍであることを特徴とする請求項１または請求項２に記載の支持体および／またはクリップ。
【請求項４】
前記突出部（１５）の高さは、前記支持体の厚さまたは前記クリップの厚さの５％〜８０％、特に前記支持体の厚さまたは前記クリップの厚さの１０％〜３０％であることを特徴とする請求項１〜３のいずれか一項に記載の支持体および／またはクリップ。
【請求項５】
前記はんだレジスト空洞（１２）は、長い方の底辺を開口とする台形の断面を有するか、またはくさび形の断面を有することを特徴とする請求項１〜４のいずれか一項に記載の支持体および／またはクリップ。
【請求項６】
複数のはんだレジスト空洞（１２）、特に２〜１０個のはんだレジスト空洞（１２）が、前記機能表面（１０）の同じ側に平行に並べて配置され、前記境界縁（１４）は、前記機能表面（１０）に直接に接する１番目のはんだレジスト空洞（１２）に形成されていることを特徴とする請求項１〜５のいずれか一項に記載の支持体および／またはクリップ。
【請求項７】
少なくとも１つのはんだレジスト空洞（１２）が、前記機能表面（１０）の異なる側、特に反対側に形成されていることを特徴とする請求項１〜６のいずれか一項に記載の支持体および／またはクリップ。
【請求項８】
前記支持体またはクリップに垂直な基準面と前記アンダーカット（１６）の前記側壁（１３）との間の鋭角が、５°〜４５°、特に１０°〜３０°であることを特徴とする請求項１〜７のいずれか一項に記載の支持体および／またはクリップ。
【請求項９】
前記アンダーカット（１６）の前記側壁（１３）の前記境界縁（１４）は、ビードのない鋭い縁を形成していることを特徴とする請求項１〜８のいずれか一項に記載の支持体および／またはクリップ。
【請求項１０】
前記アンダーカット（１６）の前記側壁（１３）の前記境界縁（１４）は、突出部（１５）を形成していることを特徴とする請求項１〜８のいずれか一項に記載の支持体および／またはクリップ。
【請求項１１】
前記はんだレジスト空洞（１２）は、エンボス加工され、型押し加工され、レーザ切断され、またはフライス加工されていることを特徴とする請求項１〜１０のいずれか一項に記載の支持体および／またはクリップ。
【請求項１２】
請求項１に記載の支持体および／またはクリップと、前記機能表面（１０）上に配置され、前記支持体および／またはクリップに接続された少なくとも１つの半導体素子と、を備えており、
前記半導体素子の縁は、前記はんだレジスト空洞（１２）の前記境界縁（１４）に隣接して位置し、または前記半導体素子の縁は、前記はんだレジスト空洞（１２）から離間して配置されている、半導体部品。
【請求項１３】
少なくとも１つの半導体素子のための支持体および／またはクリップを製造するための方法であって、前記支持体および／またはクリップが、特に型押し加工によって構造付けられ、前記半導体素子への接続のための機能表面（１０）が形成される方法であって、
前記機能表面（１０）の少なくとも一方側に位置する境界縁（１４）を備える少なくとも１つのはんだレジスト空洞（１２）が、ポンチを使用して前記支持体および／またはクリップにエンボス加工または型押し加工され、前記ポンチは、エンボス加工または型押し加工の際に、支持体の材料またはクリップの材料から前記境界縁（１４）に突出部（１５）を形成し、かつ／または
前記機能表面（１０）の少なくとも一方側に位置する側壁（１３）を備える少なくとも１つのはんだレジスト空洞（１２）が、レーザビームによって切断され、またはポンチを使用して前記支持体またはクリップにエンボス加工または型押し加工され、前記レーザビームの切断角度または前記ポンチの突入角度が、前記側壁（１３）がアンダーカット（１６）を形成するようなやり方で設定され、かつ／または
少なくとも１つのはんだレジスト空洞（１２）が、前記支持体および／またはクリップにフライス加工される、方法。
【請求項１４】
前記ポンチを使用する前記はんだレジスト空洞（１２）のエンボス加工、型押し加工またはフライス加工の後で、前記境界縁（１４）に突出部（１５）を形成するために、形成用空洞が、前記境界縁（１４）に隣接して前記支持体またはクリップにエンボス加工または型押し加工され、前記境界縁（１４）、および前記境界縁（１４）から延びている前記はんだレジスト空洞（１２）の側壁（１３）を変位させて前記アンダーカット（１６）を形成する、ことを特徴とする請求項１３に記載の方法。
【発明の詳細な説明】
【技術分野】
【０００１】
本発明は、少なくとも１つの半導体素子のための支持体および／またはクリップであって、半導体素子への接続のための少なくとも１つの機能表面を備えている支持体および／またはクリップに関する。上述の形式の支持体は、例えば米国特許第６，５７７，０１２号Ｂ１明細書から知られている。
【背景技術】
【０００２】
支持体は、リードフレームとも称されるが、半導体部品または他の電子部品を製造するためのフレームの形態をしたはんだ付け可能な金属製のシステム支持体である。支持体は、半導体素子への接触および接続のために設けられた１つ以上の機能表面を有する。半導体素子は、はんだ付けによって機能表面において支持体へと接続される。半導体素子は、ボンドワイヤまたは１つ以上のクリップのいずれかによって支持体の接続部へと接続される。クリップ技術は、ＭＯＳＦＥＴと併せたパワーエレクトロニクスにおける使用にとくに適する。
【０００３】
半導体素子の支持体またはリードフレームへの接続に関して、冒頭で述べた文献、すなわち米国特許第６，５７７，０１２号Ｂ１明細書が、半導体素子と支持体との間に複数のはんだ点を設けることを提案している。液状のはんだが支持体と半導体素子との間を制御されない様相で流れることを防止するために、はんだによって濡らされることができる領域が、リードフレーム上に設けられる。濡らされることができる領域は、はんだをはんだのために意図された場所に引き止める非濡れ領域によって境界付けられる。非濡れ領域は、レーザを用いた処理により、当該領域における支持体の表面を酸化させることで、はんだによる濡れ性を低減することによって生み出される。あるいは、濡らすことができない領域および隣接する未処理の領域が、支持体上の多層の積層体から露出される。例えば、個々に露出される非濡れ領域が、中間層から形成される。
【０００４】
このようにして生成されるリードフレームは、特に表面が単にレーザを使用して酸化させられる場合においては、制御されない様相でのはんだの流れに対して充分な防護を提供していない。また、非濡れ層の選択的な露出という第２の選択肢は、複雑である。
【発明の概要】
【発明が解決しようとする課題】
【０００５】
本発明の１つの目的は、いずれの場合も、容易に製造することができ、機能表面の領域におけるはんだの良好な保持機能を提供する少なくとも１つの半導体素子のための支持体またはクリップを特定することにある。本発明のさらなる目的は、半導体部品ならびに支持体またはクリップの製造方法を特定することにある。
【課題を解決するための手段】
【０００６】
上記目的は、請求項１の主題に係る支持体および／またはクリップに鑑み、請求項１２の主題による半導体部品に鑑み、さらには請求項１３の主題による方法に鑑みて、本発明により達成される。
【０００７】
本発明は、半導体素子への接続のための少なくとも１つの機能表面を備えている少なくとも１つの半導体素子のための支持体および／またはクリップを特定するという考え方にもとづく。したがって、本発明の技術的範囲において、半導体素子への接続のための少なくとも１つの機能表面を備えている支持体が開示および請求され、それとは別に、半導体素子への接続のための少なくとも１つの機能表面を備えているクリップが開示および請求される。加えて、支持体およびクリップを備える構成であって、支持体およびクリップの各々が半導体素子への接続のための機能表面を有している構成が開示および請求される。
【０００８】
いずれの場合も、支持体またはクリップは、少なくとも１つの側壁、特に直線状の側壁を備える少なくとも１つのはんだレジスト空洞を有する。側壁には、機能表面を少なくとも一方側において境界付けている境界縁が隣接している。
【０００９】
保持の機能のために、支持体またはクリップの以下の２つの特徴が開示され、それぞれが個別に、はんだを所定の場所に引き止めるという求められる効果を達成すると考えられる。また、両方の特徴を互いに組み合わせることも可能である。
【００１０】
境界縁は、はんだを引き止めるために機能表面を過ぎて突出する突出部を形成する。突出部は、はんだが制御されない様相で流れることを防止する機械的な障壁を形成する。突出部は、例えばエンボス加工、型押し加工またはフライス加工などの形成方法によって簡単に製造できるという利点を有する。加えて、突出部の保持効果が、はんだの組成に影響されず、したがってはんだの表面張力に影響されない。
【００１１】
突出部に代えて、または突出部に加えて、側壁は、境界縁にはんだを引き止めるためのアンダーカットを形成する。アンダーカットの形成が、はんだレジスト空洞へのはんだの流入を効果的に防止することが明らかになっている。アンダーカットの境界縁に突出部をさらに形成することで、制御されないはんだの流れに対する防護が、さらに向上する。
【００１２】
境界縁の領域におけるはんだレジスト空洞の上述の実施形態は、支持体ないしリードフレームおよびクリップの両方に関連して開示および請求される。
【００１３】
好ましい実施形態において、はんだレジスト空洞の深さは、支持体の厚さまたはクリップの厚さの１０％〜８０％、特に３０％〜５０％である。はんだレジスト空洞の深さは、とりわけ０．０３ｍｍ〜３ｍｍ、特に０．１ｍｍ〜０．５ｍｍであってよい。支持体の材料またはクリップの材料が厚いほど、はんだレジスト空洞の割合の値は小さくなる。はんだレジスト空洞が深いほど、突出部を備える境界縁の形成および／または側壁のアンダーカットとしての形成にもかかわらず、はんだレジスト障壁を乗り越えるはんだのリザーバとしてより効果的に機能することができる。このようにして、液状のはんだの望ましくない広がりに対する第２の防護手段が生み出される。
【００１４】
はんだレジスト空洞の幅は、０．０５ｍｍ〜２ｍｍ、特に０．３ｍｍ〜１．２ｍｍであってよい。ここでもやはり、幅が大きいほど、第２の防護障壁として役立つより大きな体積がもたらされる。
【００１５】
突出部の高さは、支持体の厚さまたはクリップの厚さの５％〜８０％、特に支持体の厚さまたはクリップの厚さの１０％〜３０％であってよい。突出部が高いほど、機能表面の領域においてこの目的のために、はんだを意図される場所に引き止める防護が、より効果的である。
【００１６】
はんだレジスト空洞は、台形の断面を有することができ、台形の断面の長い方の底辺が開口を形成する。これは、はんだレジスト空洞が材料の中へと先細りであることを意味する。または、はんだレジスト空洞は、くさび形の断面を有することができる。くさび形の断面も、支持体またはクリップの上面へと開いている。はんだレジスト空洞の上述の断面は、エンボス加工法によって容易に製造することができる。規定の断面と併せて、ビードの形態の突出部が、エンボス加工法によって、エンボス加工の際に押し退けられる材料によって境界縁に形成される。ビードの高さおよび形状を、エンボス加工のエンボス深さおよび幅に応じ、断面に依存して決定することができる。
【００１７】
他の断面形状でもビードの形成をもたらすことが可能である。
【００１８】
さらなる好ましい実施形態においては、複数のはんだレジスト空洞、特に２〜１０個のはんだレジスト空洞が、機能表面の同じ側に平行に並べて配置され、境界縁は、１番目のはんだレジスト空洞に形成され、機能表面に直接に接する。１番目の境界縁の下流のはんだレジスト空洞がさらなる境界縁を形成し、はんだがそれらのさらなる境界縁の各々を乗り越えなければ機能表面の領域を越えて流れ出すことができないがゆえに、はんだレジスト空洞を複数配置することにより、望ましくないはんだの流れに対する防護が向上する。
【００１９】
機能表面が支持体の縁に配置される場合、機能表面の、前記縁とは反対の側に位置する単一のはんだレジスト空洞で充分であり得る。保持機能が支持体またはクリップの異なるいくつかの方向に働くように、いくつかのはんだレジスト空洞を、機能表面の異なるいくつかの側、特に反対側に、配置することもできる。
【００２０】
とくに好ましい実施形態においては、支持体またはクリップに垂直な基準面とアンダーカットの側壁との間の鋭角が、５°〜４５°、特に１０°〜３０°である。これらの角度範囲において、はんだレジスト空洞の保持機能の改善が達成されることが、明らかになっている。
【００２１】
アンダーカットの側壁の境界縁は、ビードのない鋭い縁を形成することができる。鋭い縁は、表面張力の効果、したがってはんだレジスト空洞の保持機能を向上させる。
【００２２】
または、アンダーカットの側壁の境界縁は、突出部を形成することができる。この場合、はんだが、突出部によって機械的に引き止められる。
【００２３】
とくに好ましい実施形態において、はんだレジスト空洞は、エンボス加工または型押し加工される。突出部の１つの可能性として境界縁に形成されたビードを備えるはんだレジスト空洞を、容易に、したがって経済的に製造することができる。さらに、はんだレジスト空洞を、レーザ切断またはフライス加工することができる。
【００２４】
請求項１に記載の支持体および／またはクリップと、支持体またはクリップの機能表面上に配置され、支持体および／またはクリップに接続された少なくとも１つの半導体素子と、を備える半導体部品も、開示および請求される。半導体素子の縁は、はんだレジスト空洞の境界縁に隣接して位置する。または、半導体素子の縁を、はんだレジスト空洞から離間して配置することができる。これは、半導体素子の縁が、はんだレジスト空洞の境界縁よりも突き出さないことを意味する。半導体素子は、はんだレジスト空洞に重なることがない。したがって、はんだが境界縁を介して半導体素子の下面に沿って移動することがなく、不都合にはんだレジスト空洞へと流入することが不可能であることが、確実なやり方で保証される。
【００２５】
少なくとも１つの半導体素子のための支持体および／またはクリップを製造するための方法において、支持体および／またはクリップが、特に型押し加工によって構造付けられ、半導体素子への接続のための機能表面が形成される。
【００２６】
ここで、機能表面の少なくとも一方側に位置する境界縁を備える少なくとも１つのはんだレジスト空洞が、ポンチを使用して支持体またはクリップにエンボス加工または型押し加工される。エンボス加工または型押し加工の際に、ポンチは、支持体の材料またはクリップの材料から境界縁に突出部を形成する。ビードの形態の突出部が、形成プロセスの際の境界縁の領域における材料の変位によって形成される。
【００２７】
ここで、本発明の技術的範囲において、境界縁に位置する突出部またはビードが維持され、製造プロセスにおいて除去されず、例えばエッチングによって取り除かれたり、または削り落とされたりしないことが必要である。
【００２８】
これに代えて、またはこれに加えて、側壁を備える少なくとも１つのはんだレジスト空洞が、レーザビームを使用して機能表面の少なくとも一方側に切断され、またはポンチを使用して支持体またはクリップにエンボス加工または型押し加工される。レーザビームの切断角度またはポンチの突入角度は、側壁がアンダーカットを形成するようなやり方で設定される。この方法が適切に実行される場合、鋭い縁のアンダーカットを、レーザビームおよびポンチの両方によって生み出すことができ、このアンダーカットが、はんだの表面張力によって保持機能を改善する。エンボス加工による鋭い縁のアンダーカットは、はんだレジスト空洞の斜めの側壁から支持体またはクリップの上面への移行部が鋭い縁となるように、押さえ手段が境界縁の領域において支持体またはクリップに当接してビードの形成を阻止することで生み出される。また、所望であれば、丸みを帯びた移行部を有するアンダーカットを生み出すことも可能である。
【００２９】
これに代えて、またはこれに加えて、はんだレジスト空洞を、支持体および／またはクリップにフライス加工することも可能である。
【００３０】
ポンチを用いたはんだレジスト空洞のエンボス加工、型押し加工またはフライス加工の後に、境界縁に突出部を形成するために、形成用空洞が、好ましくは境界縁に隣接して支持体またはクリップにエンボス加工または型押し加工される。形成用空洞は、境界縁および境界縁から延びているはんだレジスト空洞の側壁を変位させてアンダーカットを形成する。または、形成用空洞が設けられる前に、垂直なはんだレジスト空洞（すなわち、アンダーカットを有さない）を、レーザによって支持体および／またはクリップに切断することができる。
【００３１】
はんだレジスト空洞を形成する前記方法は、例えば独国特許第１０  ２０１１  ０１０  ９８４号Ｂ４明細書による支持体またはクリップの製造のための型押し加工法との併用にきわめて好適である。型押し加工法の場合、積層体が少なくとも２つのフィルムから製造され、少なくとも第１のフィルムが構造付けられ、次いで少なくとも第２のフィルムと積層される。この方法の核心は、少なくとも第２のフィルムが、単一の加工工程において少なくとも１つの工具を使用して型押し加工されると同時に、構造付けられた第１のフィルムと積層され、フィルムは少なくとも間欠的に前記少なくとも１つの工具へと運ばれる点にある。
【００３２】
積層に加えて、または積層に代えて、支持体またはクリップの表面を、はんだレジスト空洞を生み出すためにエンボス加工、型押し加工またはフライス加工することができる。
【００３３】
したがって、支持体の型押し加工そのもの、および支持体の表面の修正の両方が、両方の工程、すなわち支持体の型押し加工および支持体の表面のエンボス加工を実行することができる同じ工具を使用して実行される。同じことが、クリップにも当てはまる。
【００３４】
本発明を、添付の概略図を参照しつつ、さらなる詳細とともに例示的な実施形態にもとづいて以下でさらに詳しく説明する。
【図面の簡単な説明】
【００３５】
【図１ａ】台形のはんだレジスト空洞を備える本発明の例示的な実施形態に係る支持体の平面図を示している。
【図１ｂ】図１ａに示される支持体の側面図を示している。
【図２ａ】くさび形のはんだレジスト空洞を備える本発明の例示的な実施形態に係る支持体の平面図を示している。
【図２ｂ】図２ａに示される支持体の側面図を示している。
【図３】はんだレジスト空洞の境界縁における突出部の詳細図を示している。
【図４ａ】複数のはんだレジスト空洞が設けられた、図２ａに示される支持体の変形例を示している。
【図４ｂ】図４ａに示される支持体の側面図を示している。
【図５ａ】はんだレジスト空洞のアンダーカットを製造する工程１を示している。
【図５ｂ】はんだレジスト空洞のアンダーカットを製造する工程２を示している。
【図６】はんだレジスト空洞のアンダーカットを製造する別の方法を示している。
【発明を実施するための形態】
【００３６】
図１ａおよび１ｂは、半導体素子に接続されるように意図された機能表面１０（図１ａおよび１ｂにおける右側）を有している支持体、すなわち半導体素子のためのリードフレームを示している。機能表面は、はんだ付けによって半導体素子に接続される。半導体素子の表面は、機能表面１０と同じサイズであるか、あるいはわずかに小さい。したがって、半導体素子が、機能表面１０を過ぎてはんだレジスト空洞１２の領域へと突出することが防止される。はんだレジスト空洞１２は、機能表面１０を境界付け、液状のはんだの望ましくない流れに対する効果的な障壁を形成する。
【００３７】
この目的のため、はんだレジスト空洞１２は、直線状の側壁１３を有し、とりわけ各々が傾けられた２つの直線状の側壁１３を有する。はんだレジスト空洞の断面は、台形であり、台形のはんだレジスト空洞１２の長い方の底辺が、はんだレジスト空洞１２の開口を形成している。換言すると、はんだレジスト空洞１２は、テーパ状である。図１ａおよび１ｂにおける右側の側壁１３から機能表面１０への移行は、側壁１３に隣接して機能表面１０の一方側を境界付けている境界縁１４によって形成される。
【００３８】
空洞の目的は、主として、空洞の製造時に、はんだにとって障壁として機能するように境界縁１４を形成することにある。これは、空洞がはんだにとって第２の障壁として機能し、はんだで部分的に満たされてよいという事実を、排除するものではない。しかしながら、はんだが境界縁１４を乗り越えるという状況は、回避されるべきである。
【００３９】
くさび形の断面を有しているはんだレジスト空洞１２の一変形例が、図２ａおよび２ｂに示されている。この断面も、図２ｂに明確に見て取ることができるとおり、空洞１２の底の地点へとテーパ状である２つの斜めの側壁を有している。同時に、図２ｂにおいて右側に示されている側壁１３の境界縁１４が、機能表面１０の一方側を境界付けている。
【００４０】
境界縁１４の保持機能は、突出部によって達成され、具体的に、はんだレジスト空洞１２のエンボス加工によって境界縁１４に隆起したビード１５によって達成される。図３に明確に見て取ることができるとおり、ビード１５、あるいは一般的には突出部１５は、機能表面１０を過ぎて突出しており、したがって機能表面１０の領域にはんだを効果的に引き止める障壁を形成する。障壁またはビード１５の高さは、形成プロセスによって決定される。エンボス加工の際に押し退けられる材料が多いほど、ビード１５または突出部は高くなる。ビード１５は、例示的な実施形態１および２において取り除かれず、むしろ最終的な支持体またはリードフレームの重要な特徴である。
【００４１】
図１ａ、１ｂ、および図２ａ、２ｂに示されるすべての特徴は、半導体素子のためのクリップとの関連においても開示および請求される。
【００４２】
クリップは、ボンディングワイヤと同様に、半導体素子を適切な態様で電気的に接続するように機能する。半導体素子およびクリップは、支持体の場合と同様に、はんだ付けによって接続される。したがって、支持体に関連して開示および説明されたはんだレジストは、クリップとの関連においても開示および説明される。
【００４３】
図２ａ、２ｂに示されるはんだレジスト空洞の変形例が、図４ａおよび４ｂに示されている。図２ａからの相違点は、図２ａにおいては、機能領域１０を境界付けるただ１つのはんだレジスト空洞１２が設けられている一方で、図４ａおよび４ｂにおいては、いくつかのくさび形のはんだレジスト空洞１２が機能領域１０と同じ面に設けられ、鋸歯状の態様で互いに隣接している点にある。したがって、はんだの望ましくない流れに対する防護が、さらに向上する。
【００４４】
はんだレジスト空洞１２のさらなる可能性が、図５ａおよび５ｂに示されている。ここでは、アンダーカット１６が、支持体またはクリップに形成されている。アンダーカットは、垂直面に対する突出が上縁、すなわち、境界縁１４において下縁、具体的には、空洞１２の底への移行に位置する縁よりも大きい深さの輪郭を意味するものと理解される。換言すると、境界縁１４おける斜めの側壁１３が、後方へと突出し、境界縁１４の直下のはんだレジスト空洞１２の領域を陰にしている。したがって、機能表面１０から機能表面１０に隣接する斜めの側壁１３への鋭い縁による移行を、図６の例に示されるとおりに形成することができる。
【００４５】
あるいは、図５ａおよび５ｂに示される方法の各工程によって可能にされるように、ビードを、アンダーカット１６の境界縁１４に形成することができる。この目的のため、台形の断面（図１ａおよび１ｂも参照）を有するはんだレジスト空洞１６が、図５ａに示される第１の工程において支持体に刻まれる。そのようにする際に、図３に示されるビードが、機能表面１０に向かって境界縁１４に形成される。図５ｂに示される第２の工程において、形成用空洞１７が、境界縁１４に近接して支持体に作られる。形成用空洞１７は、形成用空洞とはんだレジスト空洞１２の境界縁１４との間の材料を変位させる。これにより、境界縁１４が、境界縁１４に隣接する斜めの側壁も含めて移動し、前記側壁がはんだレジスト空洞１６の中へと内側に押される。当初は外側へと傾いていた側壁１３（図５ａを参照）が、形成用空洞１７の押しの作用によって後退させられ、図５ｂに見て取ることができるとおりはんだレジスト空洞１２へと内側に傾けられる。このようにして、上述したアンダーカットが形成される。
【００４６】
アンダーカットを生み出すための別の可能性が、図６に示されている。支持体の表面に対して或る角度で当該支持体に突入する斜めのポンチ１８が、この目的のために使用される。鋭いポンチ１８が、支持体またはクリップの材料に所望のはんだレジスト空洞１２を刻み、ポンチの先端の領域にアンダーカット１６を形成する。この例示的な実施形態においては、きわめて鋭い境界縁１４が形成される。これは、境界縁１４の領域における材料の隆起を防止する押さえ手段１９に隣接する。
【００４７】
上述の方法は、支持体を製造するための型押し加工法と容易かつ迅速に組み合わせることができるという利点を有する。この目的のため、型押し加工のために用意された工具を、２工程の方法において、最初に支持体を型押し、次いで次の工程においてはんだレジストまたははんだレジスト空洞を形成するために表面に所望のエンボス構造を形成するように、改造することができる。
【符号の説明】
【００４８】
１０  機能表面
１２  はんだレジスト空洞
１３  側壁
１４  境界縁
１５  突出部／ビード
１６  アンダーカット
１７  形成用空洞
１８  ポンチ
１９  押さえ手段
【図１ａ−１ｂ】
2017510991.tif 000003
【図２ａ−２ｂ】
2017510991.tif 000004
【図３】
2017510991.tif 000005
【図４ａ−４ｂ】
2017510991.tif 000006
【図５ａ】
2017510991.tif 000007
【図５ｂ】
2017510991.tif 000008
【図６】
2017510991.tif 000009
【国際調査報告】
2017510991.tif 000010
2017510991.tif 000011
2017510991.tif 000012
2017510991.tif 000013
2017510991.tif 000014
2017510991.tif 000015